(57)【要約】【課題】インクジェット記録ヘッドへの紙粉・塵埃等の異物の付着を確実に防止する。【解決手段】複数枚の記録用紙Ｐを積層状態で収容する用紙カセット３には、記録用紙Ｐのサイドエッジを規制するエッジガイド８、９が設けられている。エッジガイド８、９は導電性を備えるように形成されるとともに、同電位形成手段２０によってノズルプレート１６ａ、支持部材１７、のこれらと同電位に設定される。従って記録領域においては記録用紙Ｐ、ノズルプレート１６ａ、支持部材１７、のこれらの間に電界が形成されない（無電界）状態となり、電界が形成されることにより紙粉等にクーロン力を及ぼすということがなく、ノズルプレート１６ａ側への紙粉等の飛翔・付着を防止することができる。【選択図】図１
2011105476.tif 000002
【特許請求の範囲】
【請求項１】
被噴射媒体に液体を噴射する液体噴射手段と、
前記液体噴射手段と対向配置される、被噴射媒体を支持する被噴射媒体支持手段と、
被噴射媒体の搬送方向において前記液体噴射手段の上流側に設けられた、被噴射媒体を収容する被噴射媒体収容部と、を備えた液体噴射装置であって、
前記被噴射媒体収容部は、被噴射媒体のエッジと接して当該エッジの位置を規制するエッジ規制部を備え、
前記エッジ規制部と、前記液体噴射手段側の所定部位と、が同電位形成手段により同電位に設定されている、
ことを特徴とする液体噴射装置。
【請求項２】
請求項１に記載の液体噴射装置において、前記同電位形成手段が、前記エッジ規制部及び前記液体噴射手段側の所定部位に加え、前記被噴射媒体支持手段の所定部位を同電位とすることを特徴とする液体噴射装置。
【請求項３】
請求項１または２に記載の液体噴射装置において、前記エッジ規制部は、被噴射媒体の積重方向に延びるリブを、被噴射媒体の給送方向に適宜の間隔を空けて複数設けて成ることを特徴とする液体噴射装置。
【請求項４】
請求項１から３のいずれか１項に記載の液体噴射装置において、前記被噴射媒体収容部は、収容された被噴射媒体の送り出し方向先端と対向する位置に、被噴射媒体が送り出される際に当該送り出される被噴射媒体の前記先端が摺接する斜面を有し、
前記同電位形成手段が、前記エッジ規制部及び前記液体噴射手段側の所定部位に加え、前記斜面を同電位に設定する、
ことを特徴とする液体噴射装置。
【発明の詳細な説明】
【技術分野】
【０００１】
本発明は、ファクシミリやプリンターに代表される液体噴射装置に関する。
【背景技術】
【０００２】
以下、液体噴射装置の一例としてのインクジェットプリンターを例に説明する。インクジェットプリンターは、インクジェット記録ヘッドと対向する位置に支持部材（プラテンとも呼ばれる）を有し、支持部材により記録用紙を支持することによりインクジェット記録ヘッドと記録用紙との間の距離を規定するよう構成されている。
【０００３】
ここで、近年のインクジェットプリンターにおいては、記録品質のより一層の向上を目指してインク滴の微細化が進み、例えば数ｐｌ程度までインク滴が微細化されている。この為インク滴の質量が極めて小さく、インクジェット記録ヘッドから記録用紙にインク滴が吐出されても、一部が記録用紙に着弾せず、ミストとなって浮遊し、種々の問題を発生させていた。加えて、記録用紙の四辺に余白なく記録を行う、いわゆる縁無し記録においては、記録用紙の端部から外れた領域にもインク滴を吐出する為、上記のミスト浮遊現象がより一層顕著になる。
【０００４】
そこで従来から、特許文献１、２に示すようにインクジェット記録ヘッド、記録用紙、支持部材のこれらの間に電位差を設け、電界を発生させることでインク滴にクーロン力を作用させ、インク滴を記録用紙に引きつける技術が提案されている。
【先行技術文献】
【特許文献】
【０００５】
【特許文献１】特開２００７−１１８３２１号公報
【特許文献２】特開２００７−１１８３１８号公報
【発明の概要】
【発明が解決しようとする課題】
【０００６】
＜＜１．記録用紙の高速搬送化に伴って生じた課題＞＞  
ところで近年のインクジェットプリンターにおいては、走査（移動）を行わない固定式のインクジェット記録ヘッド、いわゆるラインヘッドを用い、極めて高いスループットにより記録を実行可能なものが提案されている。このようなインクジェットプリンターでは、記録用紙は装置内部の用紙搬送経路を極めて高速に搬送される。
【０００７】
しかしながらこの様な記録用紙の高速搬送化に伴って、以下のような問題が生じることが判明した。即ち、記録用紙の端部（エッジ）には、切断時に生じた紙粉が付着しているが、記録用紙・支持部材（プラテン）・インクジェット記録ヘッド、のこれら３つの要素（以下「記録部構成要素」と総称する）の間の電位を制御しない場合、記録部構成要素間に生じた電界により、記録用紙に付着していた紙粉がインクジェット記録ヘッドに向かって飛翔し、付着してしまう。特に、高速で記録用紙を搬送する場合には、用紙搬送の際の振動や衝撃が大きくなり、そのため紙粉の飛翔がより一層顕著に生じてしまう。
【０００８】
また、用紙カセットに収容された記録用紙間の摩擦や、用紙搬送経路の構成要素（例えば、エッジガイドや、搬送ローラーなど）と記録用紙との間の摺接・接触に伴い、摩擦帯電や剥離帯電が顕著となり、即ち記録部構成要素がより顕著に帯電する。その結果、記録部構成要素間に形成される電界が強くなり、また紙粉自体の帯電も強くなる為、紙粉に加わるクーロン力が大きくなって、インクジェット記録ヘッドへの紙粉の付着がより顕著になってしまう。
【０００９】
また、紙粉自体が帯電していない場合であっても、飛翔した紙粉が電界中に置かれた場合には、誘電分極或いは静電誘導によって紙粉に電荷の偏りが生じ、これによりインクジェット記録ヘッドの側に引きつけられてしまう。
【００１０】
図４はこの問題点を示す為の説明図であり、符号１６０はインクジェット記録ヘッド、符号１６０ａはノズルプレート、符号１７０は支持部材（プラテン）、符号１７０ａは支持部材１７０に形成されるリブを示している。また符号Ｐは記録用紙を、符号Ｐｅは用紙端部を、符号ｄは紙粉を示している。更に丸囲いされた「＋」、「−」は、帯電極性を示している。
【００１１】
記録用紙Ｐは除電ブラシなどにより除電されており、従ってこの記録用紙Ｐに付着している紙粉ｄは帯電はしていない。しかしながら、紙粉ｄの拡大図に示すように、ノズルプレート１６０ａがプラス帯電し、また支持部材１７０がマイナス帯電している場合（一例）には、誘電分極（紙粉ｄが誘電体の性質を有している場合）或いは静電誘導（紙粉ｄが導体の性質を有している場合）によって、紙粉ｄのノズルプレート側にはマイナス電荷が表れ、支持部材側にはプラス電荷が表れる。そしてこれにより、紙粉ｄはノズルプレート１６０ａ及び支持部材１７０のいずれの側にも引き寄せられてしまうことになる。
【００１２】
そして紙粉がインクジェット記録ヘッドに付着すると、紙粉がノズル開口を直接閉塞することにより、或いはノズル面の清掃（ワイピング）時に紙粉がノズル開口に移動することによって、ドット抜けを招くことになる。
【００１３】
また、このように紙粉がノズル開口を物理的に閉塞するほか、紙粉を構成する炭酸カルシウムなどの填料がインクの水分と反応して増粘し、ノズル開口のメニスカスの振動を阻害して、インク滴吐出の妨げになる場合もある。従って、インクジェット記録ヘッドへの紙粉の付着を防止することは、インクジェットプリンターにおいて適切な記録品質を得るために極めて重要となる。
【００１４】
＜＜２．従来技術の問題点＞＞  
上記特許文献１、２には、上述のようにインクジェット記録ヘッド・記録用紙・支持部材（記録部構成要素）のこれらの間に電位差を設け、電界を発生させることでインク滴にクーロン力を作用させ、インク滴を記録用紙に引きつける技術が提案されている。従って紙粉をインク滴と同列にみなせば、電界を制御することで紙粉を記録用紙側に引きつけることにより、インクジェット記録ヘッドへの紙粉の付着を防止できるようにも思われる。
【００１５】
しかしながら、紙粉を構成するセルロース繊維と填料は、帯電列的にプラス、マイナスいずれの極性にも帯電し易く、従って記録部構成要素間に特定方向の電界を形成することでインクジェット記録ヘッド側への紙粉の飛翔を防止しようとしても、反対極性に帯電した紙粉の、インクジェット記録ヘッド側への飛翔を防止することはできない。
【００１６】
尚、特開２００３−１６５２３０号公報には、インクジェット記録ヘッドのノズル部周辺への紙粉や塵埃等の付着防止を目的の一つとして、ノズルプレート周囲にエアーダクトを設け、記録時および記録待機時にはエアーダクトから加湿エアーを噴射するように構成された記録装置が記載されている。しかしながらこのような構成にあっては、構成の複雑化により装置の大型化及びコストアップを招くことになるし、気流により却って紙粉を記録ヘッドに付着させてしまう虞がある。
【００１７】
また、特開２００８−２１３２５５号公報には、帯電性を備える紙粉収集部材により紙粉を収集する技術が記載されている。しかしながら本技術にあっては上述した反対極性の問題により必ずしも紙粉を効率的に収集できないし、また紙粉収集部材に堆積した紙粉の処理（除去）が問題となる。特に、紙粉が多く堆積した状態では、ちょっとした振動や衝撃により、紙粉が周囲に飛散してしまう虞があり、長期的な性能の維持に問題がある。
【００１８】
＜＜３．本願発明が解決を図る課題＞＞  
本発明は上述した種々の問題に鑑み成されたものであり、その目的は、インクジェット記録ヘッドへの紙粉・塵埃等の異物（以下「紙粉等」と言う）の付着を確実に防止することにある。
【課題を解決するための手段】
【００１９】
上記課題を解決する為の本発明の第１の態様は、被噴射媒体に液体を噴射する液体噴射手段と、前記液体噴射手段と対向配置される、被噴射媒体を支持する被噴射媒体支持手段と、被噴射媒体の搬送方向において前記液体噴射手段の上流側に設けられた、被噴射媒体を収容する被噴射媒体収容部と、を備えた液体噴射装置であって、前記被噴射媒体収容部は、被噴射媒体のエッジと接して当該エッジの位置を規制するエッジ規制部を備え、前記エッジ規制部と、前記液体噴射手段側の所定部位と、が同電位形成手段により同電位に設定されていることを特徴とする。
【００２０】
本態様によれば、被噴射媒体を収容する被噴射媒体収容部は、被噴射媒体のエッジと接して当該エッジの位置を規制するエッジ規制部を備え、前記エッジ規制部と、前記液体噴射手段側の所定部位と、が同電位形成手段により同電位に設定されているので、被噴射媒体の特に紙粉の付着が顕著なエッジ部分と液体噴射手段との間の電界が極めて弱いか、或いは電界が殆ど形成されない状態となる（以下では便宜上この様な状態を無電界状態と言う）。即ち、被噴射媒体と液体噴射手段との間に電界が形成されるとともにこれが紙粉等にクーロン力を及ぼすということがなく、これにより液体噴射手段への紙粉等の飛翔・付着を防止することができる。
【００２１】
本発明の第２の態様は、第１の態様において、前記同電位形成手段が、前記エッジ規制部及び前記液体噴射手段側の所定部位に加え、前記被噴射媒体支持手段の所定部位を同電位とすることを特徴とする。
【００２２】
本態様によれば、前記同電位形成手段が、前記エッジ規制部及び前記液体噴射手段側の所定部位に加え、前記被噴射媒体支持手段の所定部位を同電位とするので、液体噴射手段と被噴射媒体支持手段との間が無電界状態となり、液体噴射手段への紙粉等の飛翔・付着をより確実に防止することができる。
【００２３】
本発明の第３の態様は、第１のまたは第２の態様において、前記エッジ規制部は、被噴射媒体の積重方向に延びるリブを、被噴射媒体の給送方向に適宜の間隔を空けて複数設けて成ることを特徴とする。
【００２４】
本態様によれば、前記エッジ規制部は、被噴射媒体の積重方向に延びるリブを、被噴射媒体の給送方向に適宜の間隔を空けて複数設けて成るので、被噴射媒体のエッジとの間の接触面積が減り、被噴射媒体送り出し時の摩擦抵抗を軽減できる。
【００２５】
本発明の第４の態様は、第１から第３の態様のいずれかにおいて、前記被噴射媒体収容部は、収容された被噴射媒体の送り出し方向先端と対向する位置に、被噴射媒体が送り出される際に当該送り出される被噴射媒体の前記先端が摺接する斜面を有し、前記同電位形成手段が、前記エッジ規制部及び前記液体噴射手段側の所定部位に加え、前記斜面を同電位に設定することを特徴とする。
【００２６】
本態様によれば、被噴射媒体収容部が備える上記斜面が、エッジ規制部及び前記液体噴射手段側の所定部位とともに同電位に設定されるので、被噴射媒体の送り出し方向先端と、被噴射媒体のうら面が積極的に電位コントロールされる。このため、被噴射媒体と液体噴射手段との間がより確実に無電界化され、液体噴射手段への紙粉等の飛翔・付着をより確実に防止することができる。
【図面の簡単な説明】
【００２７】
【図１】本発明に係るプリンターの用紙搬送経路を示す側断面概略図。
【図２】用紙カセット（用紙収容部）の平面図。
【図３】本発明の他の実施形態に係るプリンターの用紙搬送経路を示す側断面概略図。
【図４】従来技術の問題点を説明する為の説明図。
【発明を実施するための形態】
【００２８】
以下、図面を参照しながら本発明の実施形態について説明する。ここで、図１は本発明に係るインクジェットプリンター１の用紙搬送経路を示す側断面概略図、図２は用紙カセット（用紙収容部）３の平面図である。また図３は本発明の他の実施形態に係るインクジェットプリンター１’の用紙搬送経路を示す側断面概略図である。
【００２９】
以下、図１を参照しながらインクジェットプリンター１の全体的な構成について概説する。インクジェットプリンター１は、装置底部に用紙給送装置２を備えており、この用紙給送装置２から被噴射媒体の一例としての記録用紙Ｐを送り出し、中間ローラー１０にて湾曲反転させて、液体噴射手段としてのインクジェット記録ヘッド１６の側へと給送し、記録を行う構成を備えている。
【００３０】
より詳しくは、用紙給送装置２は用紙カセット３と、ピックアップローラー７と、中間ローラー１０と、リタードローラー１１と、ガイドローラー１２、１３と、を備えている。複数枚の記録用紙Ｐを積重状態で収容可能な用紙収容部としての用紙カセット３は、用紙給送装置２に対して着脱可能に構成されている。
【００３１】
用紙カセット３には、収容された記録用紙Ｐのサイドエッジの位置を規制するエッジガイド８、９が設けられている（図２も参照）。このうちエッジガイド８は、用紙サイズに応じてその位置を変位可能に（図２において上下方向）設けられており、また変位した位置において、図示を省略する保持手段によりその位置を保持可能に設けられてる。
【００３２】
尚、用紙カセット３に収容された記録用紙Ｐの後端と対向する位置には後端エッジガイド４が、用紙サイズに応じてその位置を変位可能に（図２において左右方向）設けられており、且つその位置を保持可能に設けられている。
【００３３】
エッジガイド８において用紙エッジと対向する面には、用紙積重方向（図１において上下方向）に延びるリブ８ａが、用紙送り出し方向（図１及び図２において右方向）に適宜の間隔を空けて複数設けられている。またエッジガイド８と対向するエッジガイド９についても同様なリブ９ａが設けられている。これにより、送り出される記録用紙Ｐのサイドエッジとの間の接触面積の軽減が図られ、記録用紙Ｐの円滑な給送が確保されている。
【００３４】
尚、本実施形態においてエッジガイド８、９は樹脂材料により形成されており、より具体的には樹脂材料に金属、炭素等の導電性材料を混入したことにより、例えば表面抵抗率が１０２〜１０８Ω/□程度の導電性を有するように形成されている。
【００３５】
次に、用紙カセット３に収容された記録用紙Ｐの先端と対向する位置には分離斜面５が設けられており、ピックアップローラー７により送り出される記録用紙Ｐの先端が分離斜面５に摺接しつつ下流側へ給送されることで、給送されるべき最上位の記録用紙Ｐと、これに連れられて重送されようとする次位以降の記録用紙Ｐとの予備的な分離が行われる。
【００３６】
尚、分離斜面５は、用紙給送方向に延びるリブにより形成されており（図２）、当該リブが用紙幅方向に適宜の間隔を空けて複数配置されることで、記録用紙Ｐとの間の過剰な接触摩擦抵抗の発生が防止されている。
【００３７】
次に、用紙給送手段を構成するピックアップローラー７は、揺動軸６ａを中心にして図１の時計回り方向及び反時計回り方向に揺動可能な揺動部材６に軸支されており、且つ、図示しない駆動モーターの動力によって回転駆動されるように設けられている。ピックアップローラー７は、用紙給送時には用紙カセット３に収容された記録用紙Ｐの最上位のものに接して回転することにより、最上位の記録用紙Ｐを用紙カセット３から送り出す。
【００３８】
次に、用紙カセット３から送り出された記録用紙Ｐは、湾曲反転区間に入る。この湾曲反転区間には、中間ローラー１０と、リタードローラー１１と、ガイドローラー１２、１３、のこれらローラーが設けられている。
【００３９】
中間ローラー１０は、記録用紙Ｐを湾曲反転させる湾曲反転経路の内側を形成する大径ローラーであり、図示を省略する駆動モーターによって回転駆動される。そして図１の反時計回り方向に回転することにより、記録用紙Ｐを巻回しながら下流側へと搬送する。
【００４０】
リタードローラー１１は所定の回転摩擦抵抗が付与された状態で中間ローラー１０に対して圧接及び離間可能に設けられており、中間ローラー１０との間で記録用紙Ｐをニップすることにより、給送されるべき最上位の記録用紙Ｐと、これに連れられて重送されようとする次位以降の記録用紙Ｐとを分離する。
【００４１】
尚、この付近の用紙給送経路には図示を省略する用紙戻しレバーが設けられており、リタードローラー１１によって進行が止められた次位以降の記録用紙Ｐは、この用紙戻しレバーによって用紙カセット３へと戻されるように構成されている。
【００４２】
ガイドローラー１２、１３は自由回転可能なローラーであり、そのうちガイドローラー１３は中間ローラー１０との間で用紙Ｐをニップすることにより、中間ローラー１０による用紙送りを補助する。
【００４３】
以上が用紙給送装置２の構成であり、当該用紙給送装置２を備えたインクジェットプリンターは、更に中間ローラー１０の下流側に、搬送駆動ローラー１４と搬送従動ローラー１５とを備えた用紙搬送手段が設けられている。搬送駆動ローラー１４は、図示を省略する駆動モーターにより回転駆動され、搬送従動ローラー１５は、搬送駆動ローラー１４との間で記録用紙Ｐをニップし、記録用紙Ｐの搬送に伴って従動回転する。
【００４４】
尚、符号１８は搬送従動ローラー１５を自由回転可能に支持する上部案内部材を示しており、本実施形態では搬送駆動ローラー１４の軸線方向に渡って複数配設され、また本実施形態では１つの上部案内部材１８に対して２つの搬送従動ローラー１５が軸支される。
【００４５】
次いで搬送駆動ローラー１４の下流側領域は、記録用紙Ｐへ記録を実行する記録領域であり、液体噴射手段としてのインクジェット記録ヘッド１６と、記録用紙Ｐを支持することにより記録用紙Ｐとインクジェット記録ヘッド１６との間の距離を規定する支持部材１７とが対向配置されている。
【００４６】
符号１６ａはインクジェット記録ヘッド１６において支持部材１７と対向する第１の側を形成する、複数のインク吐出ノズル（図示省略）が形成された金属製のノズルプレートを示している。また符号１７ａは支持部材１７に形成された、用紙搬送方向（第１方向：図１の左右方向）に延びるリブであり、当該リブ１７ａは用紙幅方向（第２方向：図１の紙面表裏方向）に適宜の間隔を空けて複数形成され、当該リブ１７ａによって記録用紙Ｐが支持される。
【００４７】
尚、本実施形態においては、インクジェット記録ヘッド１６は、用紙幅をカバーする長さに形成された所謂ラインヘッドであり、インクジェット記録ヘッド１６を用紙幅方向（第２方向）に往復動させることなく、記録用紙Ｐを搬送方向（第１方向）に移動させるのみで記録が実行可能となっている。但し、これに限定されるものではなく、用紙幅方向に移動しながら記録を行うシリアル型であっても構わない。
【００４８】
また、本実施形態において支持部材１７は樹脂材料により形成されており、より具体的には樹脂材料に金属、炭素等の導電性材料を混入したことにより、例えば表面抵抗率が１０２〜１０８Ω/□程度の導電性を有するように形成されている。
【００４９】
そして記録用紙Ｐはインクジェット記録ヘッド１６と支持部材１７との間（記録領域）において記録が行われ、そして図１において図示を省略する排出手段により、装置外部へと排出される。
【００５０】
以上がインクジェットプリンター１の全体構成であり、以下同電位形成手段２０について説明する。  
同電位形成手段２０は、本実施形態ではエッジガイド８、９と、ノズルプレート１６ａと、支持部材１７と、のこれらを同電位とする手段である。
【００５１】
より詳しくは、上述した通り本実施形態においてエッジガイド８、９及び支持部材１７は樹脂材料に金属、炭素等の導電性材料を混入したことにより所定の導電性を有するように形成された樹脂部品であり、そしてノズルプレート１６ａとともに、これらが接地抵抗を介してアース接続されている。
【００５２】
従ってこれにより、用紙カセット３においてはエッジガイド８、９にサイドエッジが接する記録用紙Ｐは、特にそのサイドエッジが積極的にアース（０）電位に誘導される。このため、インクジェット記録ヘッド１６により記録が行われる記録領域においては、ノズルプレート１６ａ、記録用紙Ｐ、支持部材１７、のこれらが同電位となり、これらの間に電界が形成されない状態（無電界状態）となる。
【００５３】
以上の様に構成されたことにより、記録領域において電界が形成されることで、記録用紙Ｐの特にサイドエッジに顕著に付着する紙粉等にクーロン力を及ぼすということがなく、これによりノズルプレート１６ａ側への紙粉等の飛翔・付着を防止することができる。
【００５４】
特に、インクジェットプリンター１においては、記録用紙Ｐのサイドエッジに強く摺接する構成要素がエッジガイド８、９であり、このエッジガイド８、９に強く摺接した以降は記録用紙Ｐのサイドエッジは記録領域に至るまで他の構成要素と強く接しない。従って上記のように記録用紙Ｐのサイドエッジに強く摺接する唯一の構成要素であるエッジガイド８、９についてノズルプレート１６ａと同電位にすることで、ノズルプレート１６ａ側への紙粉等の飛翔・付着を確実に防止することができる。
【００５５】
尚、本実施形態では、所定サイズの記録用紙Ｐに対してピックアップローラー７が、図２に示すように幅方向中心位置から一方側（図２の例ではサイドエッジ８側）に偏倚した場所に位置する場合がある。このため、記録用紙Ｐは用紙カセット３からの送り出し時（矢印Ａは用紙送り出し方向を示す）、矢印Ｂで示すように回転傾向が生じる為、記録用紙Ｐのサイドエッジはより一層サイドエッジ８、９に強く接する傾向がある（後端側はサイドエッジ８に、先端側はサイドエッジ９に、強く接する）。従ってサイドエッジ８、９をノズルプレート１６ａと同電位に設定することで、ノズルプレート１６ａ側への紙粉等の飛翔・付着を確実に防止することができる。
【００５６】
＜＜上記実施形態の変形例＞＞  
（１）同電位形成手段  
上記実施形態においては、同電位形成手段２０によってエッジガイド８、９、ノズルプレート１６ａ、支持部材１７、のこれらが同電位に設定さているが、必ずしもこれら全てを同電位に設定する必要はなく、例えばエッジガイド８、９とノズルプレート１６ａを同電位に設定するのみであっても、記録用紙Ｐとノズルプレート１６ａとの間には電界が形成されないので、紙粉に対しては有効である。
【００５７】
また、用紙カセット３のその他の構成要素、例えば分離斜面５について、ノズルプレート１６ａと同電位に設定することも有効である。図３はこれを示すものであり、符号２０’で示す同電位形成手段は、エッジガイド８、９、ノズルプレート１６ａ、支持部材１７、のこれらに加えて、分離斜面５をアース接続し、これらを同電位にしている。このため、特に分離斜面５と摺接する用紙先端や用紙うら面について、積極的に電位コントロールされることとなり、より確実にノズルプレート１６ａ側への紙粉等の飛翔・付着を確実に防止することができる。尚、エッジガイド８、９、ノズルプレート１６ａ、支持部材１７、分離斜面５、のこれらを全て同電位とするのではなく、例えば分離斜面５とノズルプレート１６ａを同電位とするのみであっても、所定の紙粉飛翔防止効果を得ることができる。
【００５８】
更に、上記実施形態では用紙カセット３に収容された記録用紙Ｐの後端をガイドする（揃える）後端エッジガイド４については同電位形成手段２０に接続していないが、これを接続しても良い。
【００５９】
また、上記各構成要素間を同電位に設定する場合には、必ずしもアース接続に限られず、任意極性の任意の電圧を印加しても構わない。即ち、或る２つの構成要素が同電位に設定されていれば、これらの間に電界が形成されないので、紙粉の飛散に対しては有効となる。
【００６０】
（２）エッジガイド
本実施形態では、エッジガイド８、９を導電性樹脂材料により形成したが、これに限られず、例えば導電性を備える金属材料により形成しても良いし、誘電体で形成するとともに記録用紙Ｐと接する面に導電層を設け、これを同電位形成手段２０に接続することもできる。これは、支持部材１７についても同様である。
【００６１】
（３）ノズルプレート
上記実施形態において、ノズルプレート１６ａの表面に撥水膜を設けることもできる。ここで、導電性の撥水膜を用いれば、撥水膜の帯電を抑制でき、ノズルプレート１６ａに紙粉等が付着することを抑制することができるとともに、ノズルプレート側の電位を確実に制御できる。
【００６２】
また、絶縁性の撥水膜を用いれば、ＳＵＳ等の金属で形成されたノズルプレート１６ａの鏡像力（ノズルプレートに電荷を持った紙粉等が近づくと、ノズルプレート側にそれと反対の電荷が表れ、互いに引きつけあう現象）を軽減でき、ノズルプレート近傍に舞い上がった紙粉等がノズルプレート１６ａに引き寄せられることを防止できる。
【００６３】
尚、インクジェット記録ヘッド１６において所定電位を与える或いは除電する（電位コントロールする）所定部位は、インクジェット記録ヘッド１６において最も支持部材１７側、即ちノズルプレート１６ａが好ましく、より具体的には支持部材１７と対向する面であるノズル面であることが好ましい。これにより、記録用紙Ｐに最も近接しているノズル面の電位が制御されるので、周囲からの回り込み電界を抑制することができるとともに、ノズル面への紙粉等の付着を効果的に防止できる。尚これは支持部材１７側でも同様であり、仮に支持部材１７側の所定部位を電位コントロールする場合には、ノズルプレート１６ａと対向する面であることが好ましい。
【００６４】
（４）インク滴への電荷付与
ノズルプレート１６ａに所定電位を与えた場合、インク滴は、ノズルプレート１６ａを介した誘導電荷によって帯電する。しかしインクを収容するインク収容室（例えば、インクカートリッジなど）からノズルプレート１６ａに至るインク流路における任意の場所でインク滴に電荷を付与するようにしても良い。例えば、インク収容室の内壁の一部、或いは全部を導電性部材で構成し、当該内壁を介してインクに電荷を付与するようにしても良い。
【００６５】
尚、液体としてのインクにサイドエッジ８、９（或いは支持部材１７）と同じ電位を与えることで、インクジェット記録ヘッド１６と記録用紙Ｐ（或いは支持部材１７）との間の電界を極めて弱くすることができ、ノズルプレート１６ａへの紙粉付着防止対策を構成することができる。即ち、例えばノズルプレート１６ａは金属などの導体に限らず、シリコン、アクリル、ポリイミドなどの誘電体で形成することもできる。この場合、ヘッド内部のインクの電位をコントロールしないと、ヘッド内部のインクと記録用紙Ｐ或いは支持部材１７との間の電位差による電界が紙粉に強い影響を与え、紙粉がノズルプレート１６ａ側に飛翔する場合がある。しかしながらヘッド内部のインクに記録用紙Ｐ或いは支持部材１７側と同じ電位を与えることで、この様な問題を解消することができる。
【００６６】
また、ノズルプレート１６ａを誘電体で形成する場合、ヘッド内部のインクに電位を与える構成として、ノズルプレートにおけるインク流路部分（インクと接する部位）のみを導電性部材で構成し、この導電性部材を介してインクに電位を与えることも可能である。例えば、ノズルプレートが積層構造をとる場合、その全ての層においてインク流路部分を導電性部材で構成しても良いし、その内の少なくとも一層についてインク流路部分を導電性部材で構成しても良い。
【符号の説明】
【００６７】
１  インクジェットプリンター、２  給送装置、３  用紙カセット、４  後端エッジガイド、５  分離斜面、６  揺動部材、７  ピックアップローラー、８  エッジガイド、８ａ  リブ、９  エッジガイド、９ａ  リブ、１０  中間ローラー、１１  リタードローラー、１２、１３  ガイドローラー、１４  搬送駆動ローラー、１５  搬送従動ローラー、１６  インクジェット記録ヘッド、１６ａ  ノズルプレート、１７  支持部材、１７ａ  リブ、１８  上部案内部材、２０  同電位形成手段、Ｐ  記録用紙
【図１】
2011105476.tif 000003
【図２】
2011105476.tif 000004
【図３】
2011105476.tif 000005
【図４】
2011105476.tif 000006